(57)【要約】  コンテナーを貯蔵するためのパッケージ配置であって、受容キャビティおよびダイカットインサートを有するカートンを含むパッケージ配置。ダイカットインサートはカートンの受容キャビティ内に分離可能に配置される。ダイカットインサートは少なくとも１つの上部パネルキャビティーを有する上部パネルおよび前述の上部パネルの前述の上部パネルキャビティーと同軸で並べられた少なくとも１つの下部パネルキャビティーを有する下部パネルを有し、ダイカットインサートは、コンテナーが上部パネルキャビティーと下部パネルキャビティーを通ってダイカットインサート内にスライド可能に挿入された時に、コンテナーの上部が上部パネルで取り囲まれて支持され、コンテナーの下部が下部パネルで取り囲まれて支持される位置で、カートン内にコンテナーを実質的に保持するように適合される。
2008524081.tif 000002
【特許請求の範囲】
【請求項１】
以下のものを含む、コンテナーを格納するためのパッケージ配置：
受容キャビティを有するカートン；および
ダイカットインサート、
該ダイカットインサートはカートンの受容キャビティ内に分離可能に配置され、箱形形状を有し、以下を含む：
少なくとも１つの上部パネルキャビティーを有する上部パネル；および
前述の上部パネルの前述の上部パネルキャビティーと同軸で並べられた少なくとも１つの下部パネルキャビティーを有する下部パネル；
ここでダイカットインサートは、コンテナーが上部パネルキャビティーと下部パネルキャビティーを通ってダイカットインサート内にスライド可能に挿入された時に、コンテナーの上部が上部パネルで取り囲まれて支持され、コンテナーの下部が下部パネルで取り囲まれて支持される位置で、カートン内にコンテナーを実質的に保持するように適合され、カートンに対するコンテナーの横方向の動きを防止し、ダイカットインサートがコンテナーに対する望ましくない衝撃を吸収するように適合され、コンテナーをコンテナーに対する望ましくない衝撃による損傷から保護する。
【請求項２】
前述のダイカットインサートがさらに、上部パネルの上部右横端および上部左横端から折り曲げ可能にそれぞれ伸びる右の上向きのフラップおよび左の上向きのフラップを含み、これらは折り曲げられてカートンの対応する内側側壁に対して摩擦により付着し、ダイカットインサートが受容キャビティ内で上方向に動かないようにする、請求項１記載のパッケージ配置。
【請求項３】
左および右の上向きのフラップの各々が、上部ダイカットハンドルとしてその上に形成された手掛け穴を有し、２つの上部ダイカットハンドルは、コンテナーを持ち上げるためにカートンの受容キャビティからダイカットインサートを容易に引き上げることができるようにする、請求項２記載のパッケージ配置。
【請求項４】
前述のダイカットインサートがさらに、下部パネルの底部前面横端および底部後面横端から折り曲げ可能で可動に伸びる前面下向きのフラップおよび後面下向きのフラップを含み、これらは折り曲げられてカートンの対応する内側側壁に対して摩擦力で付着し、カートン内で自立し、ダイカットインサートが受容キャビティ内で下方向に動かないようにする、請求項２記載のパッケージ配置。
【請求項５】
前述のダイカットインサートがさらに、下部パネルの底部前面横端および底部後面横端から折り曲げ可能で可動に伸びる前面下向きのフラップおよび後面下向きのフラップを含み、これらは折り曲げられてカートンの対応する内側側壁に対して摩擦力で付着し、カートン内で自立し、ダイカットインサートが受容キャビティ内で下方向に動かないようにする、請求項３記載のパッケージ配置。
【請求項６】
前面および後面の下向きのフラップのそれぞれが下部のダイカットハンドルとしてその上に記載されたヒンジ穴を有し、該２つの下部のダイカットハンドルはダイカットインサートがカートン内の受容キャビティ内にスライド可能に調整されるように適合される、請求項４記載のパッケージ配置。
【請求項７】
前面および後面の下向きのフラップのそれぞれが下部のダイカットハンドルとしてその上に記載されたヒンジ穴を有し、該２つの下部のダイカットハンドルがダイカットインサートがカートン内の受容キャビティ内にスライド可能に調整されるように適合される、請求項５記載のパッケージ配置。
【請求項８】
ダイカットインサートがさらに、上部パネルキャビティと下部パネルキャビティの対応する横端から伸びる複数の結合されたフラップであって、上部パネルキャビティと下部パネルキャビティを覆うフラップを有し、該結合されたフラップは下方向に折られ、コンテナーが上部パネルキャビティと下部パネルキャビティ内にスライド可能に挿入された時に、実質的にコンテナーを保持し、コンテナーを受容キャビティ内の所定位置に保持する、請求項１記載のパッケージ配置。
【請求項９】
ダイカットインサートがさらに、上部パネルキャビティと下部パネルキャビティの対応する横端から伸びる複数の結合されたフラップであって、上部パネルキャビティと下部パネルキャビティを覆うフラップを有し、該結合されたフラップは下方向に折られ、コンテナーが上部パネルキャビティと下部パネルキャビティ内にスライド可能に挿入された時に、実質的にコンテナーを保持し、コンテナーを受容キャビティ内の所定位置に保持する、請求項４記載のパッケージ配置。
【請求項１０】
ダイカットインサートがさらに、上部パネルキャビティと下部パネルキャビティの対応する横端から伸びる複数の結合されたフラップであって、上部パネルキャビティと下部パネルキャビティを覆うフラップを有し、該結合されたフラップは下方向に折られ、コンテナーが上部パネルキャビティと下部パネルキャビティ内にスライド可能に挿入された時に、実質的にコンテナーを保持し、コンテナーを受容キャビティ内の所定位置に保持する、請求項７記載のパッケージ配置。
【請求項１１】
複数の第一のスリット穴が上部パネル上に間隔をおいて形成されて上部パネルキャビティを取り囲み、複数の第二のスリット穴が下部パネル上に形成されて下部パネルキャビティを取り囲み、第一のスリット穴と第二のスリット穴が上部および下部パネルを強化し、それらの望ましくない曲げ動きに対して抵抗する、請求項１記載のパッケージ配置。
【請求項１２】
複数の第一のスリット穴が上部パネル上に間隔をおいて形成されて上部パネルキャビティを取り囲み、複数の第二のスリット穴が下部パネル上に形成されて下部パネルキャビティを取り囲み、第一のスリット穴と第二のスリット穴が上部および下部パネルを強化し、それらの望ましくない曲げ動きに対して抵抗する、請求項４記載のパッケージ配置。
【請求項１３】
複数の第一のスリット穴が上部パネル上に間隔をおいて形成されて上部パネルキャビティを取り囲み、複数の第二のスリット穴が下部パネル上に形成されて下部パネルキャビティを取り囲み、第一のスリット穴と第二のスリット穴が上部および下部パネルを強化し、それらの望ましくない曲げ動きに対して抵抗する、請求項７記載のパッケージ配置。
【請求項１４】
複数の第一のスリット穴が上部パネル上に間隔をおいて形成されて上部パネルキャビティを取り囲み、複数の第二のスリット穴が下部パネル上に形成されて下部パネルキャビティを取り囲み、第一のスリット穴と第二のスリット穴が上部および下部パネルを強化し、それらの望ましくない曲げ動きに対して抵抗する、請求項１０記載のパッケージ配置。
【請求項１５】
カートンの受容キャビティ内に間隔をおいて配置される上部クッションと下部クッションを有し、ダイカットインサートは上部クッションと下部クッションの間にサンドイッチされ、それらの間のコンテナーをさらに保護する、請求項１記載のパッケージ配置。
【請求項１６】
カートンの受容キャビティ内に間隔をおいて配置される上部クッションと下部クッションを有し、ダイカットインサートは上部クッションと下部クッションの間にサンドイッチされ、それらの間のコンテナーをさらに保護する、請求項７記載のパッケージ配置。
【請求項１７】
カートンの受容キャビティ内に間隔をおいて配置される上部クッションと下部クッションを有し、ダイカットインサートは上部クッションと下部クッションの間にサンドイッチされ、それらの間のコンテナーをさらに保護する、請求項１０記載のパッケージ配置。
【請求項１８】
カートンの受容キャビティ内に間隔をおいて配置される上部クッションと下部クッションを有し、ダイカットインサートは上部クッションと下部クッションの間にサンドイッチされ、それらの間のコンテナーをさらに保護する、請求項１４記載のパッケージ配置。
【請求項１９】
ダイカットインサートがさらに、右および左の上向きのフラップの横端からそれぞれ一体に折り曲げ可能に伸びる２つの水平フラップを有し、該２つのフラップは右および左の上向きのフラップに対して内側に折られ、カートンの受容キャビティ内でその上に上部クッションを支持する、請求項１６記載のパッケージ配置。
【請求項２０】
ダイカットインサートがさらに、右および左の上向きのフラップの横端からそれぞれ一体に折り曲げ可能に伸びる２つの水平フラップを有し、該２つのフラップは右および左の上向きのフラップに対して内側に折られ、カートンの受容キャビティ内でその上に上部クッションを支持する、請求項１７記載のパッケージ配置。
【請求項２１】
ダイカットインサートがさらに、右および左の上向きのフラップの横端からそれぞれ一体に折り曲げ可能に伸びる２つの水平フラップを有し、該２つのフラップは右および左の上向きのフラップに対して内側に折られ、カートンの受容キャビティ内でその上に上部クッションを支持する、請求項１８記載のパッケージ配置。
【請求項２２】
ダイカットインサートが所定の形状に切断された一片のファイバーボードから形成され、該ファイバーボードは折られて、上部および下部パネル、前面パネル、後面パネルおよび２つの横側パネルで形成される箱形形状を有するダイカットインサートを形成し、該右および左の上向きフラップが一体として上部パネルから伸び、前面および後面下向きフラップが一体として下部パネルから伸び、ダイカットインサートの強化された構造を向上する、請求項４記載のパッケージ配置。
【請求項２３】
ダイカットインサートが所定の形状に切断された一片のファイバーボードから形成され、該ファイバーボードは折られて、上部および下部パネル、前面パネル、後面パネルおよび２つの横側パネルで形成される箱形形状を有するダイカットインサートを形成し、該右および左の上向きフラップが一体として上部パネルから伸び、前面および後面下向きフラップが一体として下部パネルから伸び、ダイカットインサートの強化された構造を向上する、請求項７記載のパッケージ配置。
【請求項２４】
ダイカットインサートが所定の形状に切断された一片のファイバーボードから形成され、該ファイバーボードは折られて、上部および下部パネル、前面パネル、後面パネルおよび２つの横側パネルで形成される箱形形状を有するダイカットインサートを形成し、該右および左の上向きフラップが一体として上部パネルから伸び、前面および後面下向きフラップが一体として下部パネルから伸び、ダイカットインサートの強化された構造を向上する、請求項１４記載のパッケージ配置。
【請求項２５】
ダイカットインサートが所定の形状に切断された一片のファイバーボードから形成され、該ファイバーボードは折られて、上部および下部パネル、前面パネル、後面パネルおよび２つの横側パネルで形成される箱形形状を有するダイカットインサートを形成し、該右および左の上向きフラップが一体として上部パネルから伸び、前面および後面下向きフラップが一体として下部パネルから伸び、ダイカットインサートの強化された構造を向上する、請求項２１記載のパッケージ配置。
【請求項２６】
ダイカットインサートがさらに複数のリブ部分を有し、該リブ部分は右および左の上向きフラップと前面および後面下向きフラップのそれぞれの接続端に沿って形成され、リブ部分の各々は接続端に沿って間隔をおいて形成された複数の孔を有し、右および左の上向きフラップと前面および後面下向きフラップの上部および下部パネルに対する容易な折り曲げを許容し、右および左の上向きフラップの自動的な拡がりを容易にし、該ダイカットインサートを作るファイバーボードの物質の記憶によりカートンの側壁と摩擦力で連結させる、請求項２２記載のパッケージ配置。
【請求項２７】
ダイカットインサートがさらに複数のリブ部分を有し、該リブ部分は右および左の上向きフラップと前面および後面下向きフラップそれぞれの接続端に沿って伸び、リブ部分の各々は接続端に沿って間隔をおいて形成された複数の孔を有し、右および左の上向きフラップと前面および後面下向きフラップの上部および下部パネルに対する容易な折り曲げを許容し、右および左の上向きフラップの自動的な拡がりを容易にし、該ダイカットインサートを作るファイバーボードの物質の記憶によりカートンの側壁と摩擦力で連結させる、請求項２３記載のパッケージ配置。
【請求項２８】
ダイカットインサートがさらに複数のリブ部分を有し、該リブ部分は右および左の上向きフラップと前面および後面下向きフラップそれぞれの接続端に沿って伸び、リブ部分の各々は接続端に沿って間隔をおいて形成された複数の孔を有し、右および左の上向きフラップと前面および後面下向きフラップの上部および下部パネルに対する容易な折り曲げを許容し、右および左の上向きフラップの自動的な拡がりを容易にし、該ダイカットインサートを作るファイバーボードの物質の記憶によりカートンの側壁と摩擦力で連結させる、請求項２４記載のパッケージ配置。
【請求項２９】
ダイカットインサートがさらに複数のリブ部分を有し、該リブ部分は右および左の上向きフラップと前面および後面下向きフラップそれぞれの接続端に沿って伸び、リブ部分の各々は接続端に沿って間隔をおいて形成された複数の孔を有し、右および左の上向きフラップと前面および後面下向きフラップの上部および下部パネルに対する容易な折り曲げを許容し、右および左の上向きフラップの自動的な拡がりを容易にし、該ダイカットインサートを作るファイバーボードの物質の記憶によりカートンの側壁と摩擦力で連結させる、請求項２５記載のパッケージ配置。
【請求項３０】
ファイバーボードが折られてダイカットインサートを形成し、前面パネルは二重壁構造を有し、２つの側壁はそれぞれ三重壁構造を有し、ダイカットインサートの強度を向上させる、請求項２２記載のパッケージ配置。
【請求項３１】
ファイバーボードが折られてダイカットインサートを形成し、前面パネルは二重壁構造を有し、２つの側壁はそれぞれ三重壁構造を有し、ダイカットインサートの強度を向上させる、請求項２３記載のパッケージ配置。
【請求項３２】
ファイバーボードが折られてダイカットインサートを形成し、前面パネルは二重壁構造を有し、２つの側壁はそれぞれ三重壁構造を有し、ダイカットインサートの強度を向上させる、請求項２４記載のパッケージ配置。
【請求項３３】
ファイバーボードが折られてダイカットインサートを形成し、前面パネルは二重壁構造を有し、２つの側壁はそれぞれ三重壁構造を有し、ダイカットインサートの強度を向上させる、請求項２５記載のパッケージ配置。
【請求項３４】
上部クッションおよび下部クッションのそれぞれがファイバーボードから形成され、該ファイバーボードは主クッション部分と、ファイバーボードの２つの端部分に並んで形成された複数のエッジフリップを有し、エッジフリップのそれぞれは折り曲げリブにより隔てられ、エッジフリップは隣接するエッジフリップに対して折り曲げるように適合され、それぞれの折り曲げリブに沿って上部クッションおよび下部クッションを形成する、請求項１５記載のパッケージ配置。
【請求項３５】
上部クッションおよび下部クッションのそれぞれがファイバーボードから形成され、該ファイバーボードは主クッション部分と、ファイバーボードの２つの端部分に並んで形成された複数のエッジフリップを有し、エッジフリップのそれぞれは折り曲げリブにより隔てられ、エッジフリップは隣接するエッジフリップに対して折り曲げるように適合され、それぞれの折り曲げリブに沿って上部クッションおよび下部クッションを形成する、請求項１６記載のパッケージ配置。
【請求項３６】
上部クッションおよび下部クッションのそれぞれがファイバーボードから形成され、該ファイバーボードは主クッション部分と、ファイバーボードの２つの端部分に並んで形成された複数のエッジフリップを有し、エッジフリップのそれぞれは折り曲げリブにより隔てられ、エッジフリップは隣接するエッジフリップに対して折り曲げるように適合され、それぞれの折り曲げリブに沿って上部クッションおよび下部クッションを形成する、請求項１７記載のパッケージ配置。
【請求項３７】
上部クッションおよび下部クッションのそれぞれがファイバーボードから形成され、該ファイバーボードは主クッション部分と、ファイバーボードの２つの端部分に並んで形成された複数のエッジフリップを有し、エッジフリップのそれぞれは折り曲げリブにより隔てられ、エッジフリップは隣接するエッジフリップに対して折り曲げるように適合され、それぞれの折り曲げリブに沿って上部クッションおよび下部クッションを形成する、請求項１８記載のパッケージ配置。
【請求項３８】
カートン内に配置され、コンテナーを所定位置に保持するように適合されたダイカットインサートであって、ダイカットインサートは所定の形状に切断された一片のファイバーボードから形成され、該ファイバーボードは折られて箱形形状のダイカットインサートを形成し、少なくとも１つの上部パネルキャビティを有する上部パネル、前述の上部パネルの前述の上部パネルキャビティーと同軸で並べられた少なくとも１つの下部パネルキャビティーを有する下部パネルを有し、
ここでダイカットインサートは、コンテナーが上部パネルキャビティーと下部パネルキャビティーを通ってダイカットインサート内にスライド可能に挿入された時に、コンテナーの上部が上部パネルで取り囲まれて支持され、コンテナーの下部が下部パネルで取り囲まれて支持される位置で、カートン内にコンテナーを実質的に保持するように適合され、カートンに対するコンテナーの横方向の動きを防止し、ダイカットインサートがコンテナーに対する望ましくない衝撃を吸収するように適合され、コンテナーをコンテナーに対する望ましくない衝撃による損傷から保護する。
【請求項３９】
前述のダイカットインサートがさらに、上部パネルの上部右横端および上部左横端から折り曲げ可能にそれぞれ伸びる右の上向きのフラップおよび左の上向きのフラップを含み、これらは折り曲げられてカートンの対応する内側側壁に対して摩擦力で付着し、ダイカットインサートが受容キャビティ内で上方向に動かないようにする、請求項３８記載のダイカットインサート。
【請求項４０】
右および左の上向きのフラップの各々が、上部ダイカットハンドルとしてその上に形成された手掛け穴を有し、２つの上部ダイカットハンドルは、コンテナーを持ち上げるためにカートンの受容キャビティからダイカットインサートを容易に引き上げることができるようにする、請求項３９記載のダイカットインサート。
【請求項４１】
前述のダイカットインサートがさらに、下部パネルの底部前面横端および底部後面横端から折り曲げ可能で可動に伸びる前面下向きのフラップおよび後面下向きのフラップを含み、これらは折り曲げられてカートンの対応する内側側壁に対して摩擦力で付着し、カートン内で自立し、ダイカットインサートが受容キャビティ内で下方向に動かないようにする、請求項４０記載のダイカットインサート。
【請求項４２】
前面および後面の下向きのフラップのそれぞれが下部のダイカットハンドルとしてその上に記載されたヒンジ穴を有し、該２つの下部のダイカットハンドルがダイカットインサートがカートン内の受容キャビティ内にスライド可能に適合される、請求項４１記載のダイカットインサート。
【請求項４３】
ダイカットインサートがさらに、上部パネルキャビティと下部パネルキャビティの対応する横端から折り曲げ可能に伸びる複数の結合されたフラップであって、上部パネルキャビティと下部パネルキャビティを覆うフラップを有し、該結合されたフラップは下方向に折られ、コンテナーが上部パネルキャビティと下部パネルキャビティ内にスライド可能に挿入された時に、実質的にコンテナーを保持し、コンテナーを受容キャビティ内の所定位置に保持する、請求項３８記載のダイカットインサート。
【請求項４４】
ダイカットインサートがさらに、上部パネルキャビティと下部パネルキャビティの対応する横端から折り曲げ可能に伸びる複数の結合されたフラップであって、上部パネルキャビティと下部パネルキャビティを覆うフラップを有し、該結合されたフラップは下方向に折られ、コンテナーが上部パネルキャビティと下部パネルキャビティ内にスライド可能に挿入された時に、実質的にコンテナーを保持し、コンテナーを受容キャビティ内の所定位置に保持する、請求項４２記載のダイカットインサート。
【請求項４５】
複数の第一のスリット穴が上部パネル上に間隔をおいて形成されて上部パネルキャビティを取り囲み、複数の第二のスリット穴が下部パネル上に形成されて下部パネルキャビティを取り囲み、第一のスリット穴と第二のスリット穴が上部および下部パネルを強化し、それらの望ましくない曲げ動きに対して抵抗する、請求項３８記載のダイカットインサート。
【請求項４６】
複数の第一のスリット穴が上部パネル上に間隔をおいて形成されて上部パネルキャビティを取り囲み、複数の第二のスリット穴が下部パネル上に形成されて下部パネルキャビティを取り囲み、第一のスリット穴と第二のスリット穴が上部および下部パネルを強化し、それらの望ましくない曲げ動きに対して抵抗する、請求項４２記載のダイカットインサート。
【請求項４７】
複数の第一のスリット穴が上部パネル上に間隔をおいて形成されて上部パネルキャビティを取り囲み、複数の第二のスリット穴が下部パネル上に形成されて下部パネルキャビティを取り囲み、第一のスリット穴と第二のスリット穴が上部および下部パネルを強化し、それらの望ましくない曲げ動きに対して抵抗する、請求項４４記載のダイカットインサート。
【発明の詳細な説明】
【技術分野】
【０００１】
本発明の背景
発明の技術分野
本発明はパッケージングに関する。より詳細には、ダイカットインサートがファイバーボードカートン内にしっかりと挿入され、実質的にしっかりとカートンの内にコンテナーを支持するパッケージアレンジメントに関する。
【０００２】
関連技術の記述
カートンは、鉱工業製品の輸送に広く使用されている。公知の慣習として、特定の種類の品物は、特別に設計されたホルダー内に最初に包装される。その内部に品物を有するホルダーは、最終的に輸送のためにカートンに詰められる。特別に設計したホルダーを利用する第一の理由は、輸送の間にカートンの内部の品物の望まれない移動を回避して、それにより、受領者側への到着に際して品物の望まれない破損を最小限にすることである。
【０００３】
この背景の下では、ガラスのブドウ酒瓶のような実質的に円筒状で脆弱な容器内に含まれている品物を輸送するための緊急の問題が存在する。なぜなら、カートン内部の円筒形容器の動きを拘束することは難しいからである。
【０００４】
それを達成する１つの方法は、ファイバーボードカートンをすべて放棄し、円筒形容器を受容するために複数の貯蔵コンパートメントを有しているスチロフォームラックを利用することである。スチロフォームラックは一般にコンテナーの望まれない破損を減じる際に満足な性能を達成するが、それらは必然的にロジスティックスコストおよび品物の最終の売値を増加させる。
【０００５】
さらに、プラスチックラックの使用は環境にやさしくない。なぜなら、ファイバーボードカートンを作るために使用される紙は通常再利用することができるのに対し、使用されたスチロフォームの処理がより困難だからである。本発明の主な目的は、コンテナーのためのパッケージ配置を提供することであり、このパッケージ配置はコンテナーに向けられる望まれない衝撃に耐えることができ、輸送の間のカートン内のコンテナーの望まれない移動に耐える。
【０００６】
発明の要約
本発明の別の目的は、ダイカットインサートがカートンの中に分離可能に配置され、カートン内のコンテナーを実質的にしっかりと支持し、コンテナーの望まれない損傷を防ぐパッケージ配置を提供することである。
【０００７】
本発明の別の目的は、所定の方法でファイバーボード片を折ることにより作ることができ、製造コストを最小限とし、かつダイカットインサートの製造手順を最小とする、ダイカットインサートを含むパッケージ配置を提供することである。言いかえれば、ファイバーボードは集積スペースを最小限にするために、および輸送のために積み重ねることができ、コンテナーを包装する時にファイバーボードを折ってダイカットインサートを形成することができる。
【０００８】
従って、上記の目的を達成するために、本発明は以下のものを含む、コンテナーを格納するためのパッケージ配置を提供する：
受容キャビティーを有するカートン；および
カートンの受容キャビティ中に分離可能に配置されたダイカットインサート：
ここでダイカットインサートは、
少なくとも第一のスルーリテンションキャビティーを有する上部パネル；および
上部パネルの上部パネルキャビティーと同軸で一線に並べられた少なくとも１つの下部パネルキャビティーを有する下部パネルを含み、
該上部パネルキャビティーおよび下部パネルキャビティーを通ってダイカットインサート内へスライド可能にコンテナーが挿入される場合に、コンテナーの上部が上部パネルにより取り囲まれて支持され、コンテナーの下部が下部パネルにより取り囲まれて支持される場所に、カートン内のコンテナーを実質的に保持するようにダイカットインサートが適合される。
【０００９】
ダイカットインサートは、コンテナーへの望まれない衝撃によってコンテナー損傷を受けるのを防ぐために、コンテナーへの望まれない衝撃を吸収するように適合される。
これらおよび他の目的、特徴および本発明の利点は、以下の詳細な説明、添附図面およびクレームから明白になるだろう。
【００１０】
図面の簡単な説明
図１は、本発明の好ましい実施態様によるパッケージ配置の透視図である。
図２は本発明の上記の好ましい実施態様によってコンテナーを支持するダイカットインサートの透視図である。
図３は本発明の上記の好ましい実施態様によるダイカットインサートの模式図である。ダイカットファイバーボードからダイカットインサートが折られる。
図４は本発明の上記の好ましい実施態様のダイカットインサートの透視図である。
図５は、本発明の上記の好ましい実施態様によるパッケージ配置の模式図である。カートン内に対する上部クッションおよび下部クッションの位置を示す。
図６は、本発明の上記の好ましい実施態様によるパッケージ配置の側断面図である。
図７Ａおよび７Ｂは、本発明の上記の好ましい実施態様によるダイカットインサートの模式図である。ダイカットインサートが１つの上部パネルキャビティおよび１つの下部パネルキャビティを有する場合、およびダイカットインサートがそれぞれ２つの上部パネルキャビティおよび下部パネルキャビティを有する場合を示している。
図８Ａおよび８Ｂは、本発明の上記の好ましい実施態様によるダイカットインサートの模式図である。ダイカットインサートが１つの上部パネルキャビティおよび１つの下部パネルキャビティを有する場合、およびダイカットインサートがそれぞれ２つの上部パネルキャビティおよび下部パネルキャビティを有する場合を示している。
図９は、本発明の上記の好ましい実施態様による異なるリブ部分を示す。
図１０は、本発明の上記の好ましい実施態様による、上部のクッションおよびより下部のクッションの模式図である。
図１１は、本発明の上記の好ましい実施態様による、上部のクッションおよびより下部のクッションの模式図であり、上部のクッションおよびより低いクッションの２つの保持穴内にコンテナーが保持されることを例証する。
【００１１】
好ましい実施態様の詳細な説明
図１を参照する。
本発明の好ましい実施態様によってコンテナー７０を格納するためのパッケージ配置が例証される。ここでパッケージ配置は、囲み保護する手段、上部の衝撃を吸収する手段、保護しガイドする手段、底部の衝撃を吸収するための手段および液体を保持するための手段を含む。囲み保護するための手段は、非常に精密に保護しガイドするための手段を固定する堅いエンクロージャである。従って、囲み保護するための手段は、受容キャビティー１１を有するカートン１０を含む。カートン１０は、ともに刻み目を付けられ、はめ込まれ、固着された堅い単一または複層のファイバーボードの平板から好ましくは作られる。
【００１２】
このカートンは通常上部を包装するための４つの手段、底部を包装するための４つの手段、並びに内部に保持されるボトルまたはカンへの底部への衝撃を吸収するための手段、上部への衝撃を吸収するための手段を有する保護しガイドするための手段を水平および垂直に囲むボードカートン壁を保護し囲む４つの手段を有する。
【００１３】
保護およびガイドのための手段は、鋼製のルールダイによってダイカットされた単一層、複合層または波状のプラスチックボードのような堅い物質で好ましくは作られている。それは折り線で傷を付けられ、同軸のキャビティがパンチされ、折られ、上部および底部を保護し、ガイドし、水平方向に離れたフレームを作る４面の縦の壁を形成する。垂直の４つの壁が、しっかりと保護し、囲むための手段である内側の壁を保持し、それらの間の動きが防止される。
【００１４】
本発明の好ましい実施態様によれば、保護およびガイドのための手段は、上部を保護し、ガイドし、フレーミングする手段；
底部を保護し、ガイドし、フレーミングする手段；
上向きの自立、支持、フレーミングする手段；
下向きの自立、支持、フレーミングする手段；
調節し持ち上げるための手段；
上部の配置、スペーシング、およびガイドするための手段；
底部の配置、スペーシング、およびガイドするための手段；
内側の右側の強化のための手段；
内側の左側の強化のための手段；
内側の右側を、強化、保持、固定するための手段；
内側の左側を、強化、保持、固定するための手段；
外側の左側の強化、形成するための手段；
外側の右側の強化、形成するための手段；
挿入のための手段；
固定のための手段；
折り込み、強化のための手段；
前面を保持強化するための手段；
後面を保持強化するための手段；
水平に支持するための手段；
下向きに支持するための手段；
クッションおよび保持のための手段；
上部の側衝撃の平衡を保つための手段；および
上部または底部の衝撃を吸収するための手段。
【００１５】
具体的には、保護およびガイドのための手段はダイカットインサート２０を含み、該ダイカットインサートは少なくとも１つの上部パネルキャビティ２１１を有する上部パネル２１，少なくとも１つの下部パネルキャビティ２２１を有する下部パネル２２を含み、下部パネルキャビティは上部パネル２１の第一のスルーリテンションキャビティ２１１と同軸に並べられる。そこでは、ダイカットインサート２０は、コンテナー７０がダイカットインサート２０内へスライド可能に、上部パネルキャビティ２１１と下部パネルキャビティ２２１を通って挿入された時に、コンテナー７０の上部が上部パネル２１により取り囲まれて支持され、コンテナー７０の下部が下部パネル２２により取り囲まれて支持される位置にカートン１０内のコンテナー７０を実質的に保持するように適合され、ダイカットインサート２０がコンテナー７０への望ましくない衝撃を吸収し、コンテナー７０の望ましくない衝撃による損傷からコンテナー７０を保護する。
【００１６】
図１−３を参照する。上部パネル２１はコンテナーの上部を保護する。下部パネル２２はコンテナーのより低い部分を保護する。上部パネル２１および下部パネル２２の両方は、単一のキャビティーまたは複数のキャビティー（すなわち上部パネルキャビティー２１１および下部パネルキャビティー２２１）でダイカットされる。それらは所定の距離を隔てて互いに共軸であり、両者間の距離の中心は好ましくはコンテナー７０の重心であるべきである。
【００１７】
好ましい実施態様では、ダイカットインサート２０は、上部パネル２１、下部パネル２２、前面パネル２３、後面パネル２４、右のパネル２９および左のパネル２９１を画定する箱のボディーであり、カートン１０の受容キャビティー１１の横断面にぴったりと対応する横断面を有し、ダイカットインサート２０が、分離可能に受容キャビティー１１内に配置されるように適応される。
【００１８】
図７Ａ、図７Ｂ、図８Ａおよび図８Ｂを参照する。ダイカットインサート２０は所定の形に切られた１片のファイバーボードによって形成される。ファイバーボードは折られ、箱形の形状のダイカットインサートを形成し、上部および下部パネル２１、２２、前面パネル２３、後面パネル２４、および２枚のサイドパネル２９、２９１を有し、左および右の上方のフラップ２１２、２１３が一体となって上部パネル２１から伸び、前面および後面の下方向へのフラップ２２２、２２３が下部パネルから一体となって伸び、ダイカットインサート２０の構造を強化する。
【００１９】
その結果、上部パネルキャビティー２１１と下部パネルキャビティー２２１の間の上部パネル２１および下部パネル２２からカートン１０の内壁への部分は、コンテナー７０に与えられた相対的な衝撃力を事実上吸収し、さらに、地面への落下による衝撃を吸収するだろう。
【００２０】
ダイカットインサート２０はさらに複数の結合されたフラップ２５を有する。これは上部パネルキャビティー２１１および下部パネルキャビティー２２１の対応する横の端から伸び、上部パネルキャビティ２１１および下部パネルキャビティ２２１を選択的に覆う。そして結合されたフラップ２５は折られ、上部パネル２１および下部パネル２２に関して上方または下方へ移動でき、コンテナー７０がそれを通過できるように折られる。
【００２１】
言いかえれば、結合されたフラップ２５は下方向に折られ、コンテナー７０が受容キャビティー１１内の所定位置に保持されるように、上部および下部パネルキャビティー２１１、２２１へスライド可能に差し込まれる場合に、実質的にコンテナー７０を保持するように適合される。
【００２２】
さらに、ダイカットインサート２０は左側の上方向フラップ２１２および右側の上方向フラップ２１３を有し、これは折り曲げ可能に上部パネル２１の上部左側横端および右側横端から伸び、カートン１０の対応する内壁に対して内側のダイカットを防ぐために摩擦力で取り付けられ、内側のダイカットインサートが受容キャビティ１１内で上方向に動き、その場所から移動することを防止する。言いかえれば、左の上向きのフラップ２１２および右の上向きのフラップ２１３の各々が、外側の結合表面２１４を有している。該表面は左の上向きのフラップ２１２および右の上向きのフラップ２１３が上方向に折られ、カートン１０の対応する内壁に付着する際に、カートン１０の内側壁と摩擦力で結合するように適合され、ダイカットインサート２０とカートン１０の間の側面の上方向への動きが実質的に関連する摩擦力によって抑制するようにされる。
【００２３】
さらにダイカットインサート２０を所定の位置に保持するために、前面の下方へのフラップ２２２および後面の下方へのフラップ２２３をさらに有し、これらは下部パネル２２の底部前面横側端と底部後面横側端から、折りたたみ可能な形で伸び、折りたたみ可能に動いてカートン１０の対応する内壁に対して摩擦力で付着し、カートン１０内で自立し、ダイカットインサートが受容キャビティ１１内で下方向へ動いて所定位置からずれることを防止する。好ましい実施態様では、前面および後面の下方へのフラップ２２２、２２３は、内側のダイカットインサートの前面と後面パネル２３、２４から切り出されたヒンジタイプのものである。
【００２４】
図２および図４を参照する。左の上向きのフラップ２１２、および右の上向きのフラップ２１３は、それらの上に形成された第１および第２の手の穴２１２１、２１３１を有する。２つの上方向のダイカットハンドルを画定し、位置を調整し、ダイカットインサート２０をコンテナー１０から引き出す。
【００２５】
さらに、前面の下方へのフラップ２２２、および後面の下方へのフラップ２２３は、その上に形成された第１および第２のヒンジ穴２２２１、２２３１を有し、ユーザーのための２つの下部のダイカットハンドルを画定し、前面の下方へのフラップ２２２および後面の下方へのフラップ２２３を引き出し、カートン１０内のダイカットインサート２０の位置をスライド可能に調節する。
【００２６】
図１および図５を参照する。
パッケージ配置はさらに上部のクッション３０および底部のクッション４０を含む。これらは、カートン１０の受容キャビティ１１内にぴったりと、離れて配置され、それぞれダイカットインサート２０の上と下に配置される。したがって、ダイカットインサート２０は上部および下部のクッション３０、４０の間にサンドイッチにされ、さらにそれらの間のコンテナーを保護する。
【００２７】
具体的には、上部のクッション３０および底部のクッション４０の各々は、１個の平面、Ｕ字型または柔軟なキャップ部分であり、好ましくは半硬質フォーム、Ｕ字型の折られたファイバーボード板紙またはプラスチック物質によって作られる。上部のクッション３０は、コンテナー７０の上部からの衝撃力を吸収するために、コンテナー７０の上部とカートン１０の上部フラップの下の間に置かれる。
【００２８】
一方、底部クッション４０は、底部クッション４０の上のコンテナー７０を支持しつつ、コンテナー７０の下部で衝撃を吸収するために、コンテナー７０の底部とカートン１０の底部フラップの間に置かれる。
【００２９】
図２および図３を参照する。様々なフラップの折りを容易かつ便利にするために、ダイカットインサート２０はさらに複数のリブ部分２６を含む。これらは、右および左の上方向のフラップ２１２、２１３、前面および後面の下方のフラップ２２２、２２３、および連結されたフラップ２５の上に形成される。それぞれのリブ部分２６は、その上に間隔をおいて形成された複数の穿孔を有し、リブ部分単独でそれぞれのフラップの便利な折り曲げを許容する。
【００３０】
したがって、複数のリブ部分２６は右および左の上方向のフラップ２１２、２１３と、前面および後面の下方のフラップ２２２、２２３の連結エッジに沿って形成される。ここで穿孔は連結エッジに沿って形成され、右および左の上方向のフラップ２１２、２１３と、前面および後面の下方のフラップ２２２、２２３の、上部および下部パネル２２、２３に関しての容易な折り曲げを許容する。
【００３１】
従って、リブ部分２６の各々は、接続するラインを形成するために個々の隣接した穿孔された２つの穴の間の複数の穿孔されていない部分を有し、それぞれのフラップを、物質の記憶によりその必要なそれぞれの位置を維持し強化するためにそれぞれのフラップを支持する連結線を形成する。言いかえれば、リブ部分２６の穿孔されていない部分はそれぞれのリブ部分２６の所定の剛性を保持するように適応され、それが折られるか広げられるまで、それぞれを所定の位置に保持する。
【００３２】
更に、上部パネル２１はさらにその上に形成される複数の第１のスリット穴２１５を有する。第１のスリット穴２１５は、上部パネル２１を強化するために上部パネルキャビティー２１１を、それらの望まれない曲げに対して抵抗するような態様で取り囲む位置に形成される。同様に、下部パネル２２はさらにその上に形成された複数の第２のスリット穴２２４を有する。そこでは、第２のスリット穴２２４は、下部パネル２２を強化するために下部パネルキャビティー２２１を上部パネル２１を取り囲む位置で形成される。したがって、第１および第２のスリット穴２１５、２２４は、上部および下部パネル２１、２２を強化し、望まれない曲げに対して抵抗するために形成される。
【００３３】
さらに、第１および第２のスリット穴２１５、２２４はダイカットインサート２０に所定の量の弾性効果を提供し、上部パネル２１と下部パネル２２の変形に対する抵抗を高め、全体的な効果としてダイカットインサート２０の全体的な強度を向上する。
【００３４】
図９を参照する。連結されたフラップ２５のリブ部分２６は、連結されたフラップ２５に同軸で提供される複数の切断リングとして具体化される。切断リングは対応する接続線に沿って切られるように適合され、それぞれの連結されたフラップ２５を分離し、上部パネルキャビティー２１１および下部パネルキャビティー２２１を作る。上部パネルキャビティー２１１および下部パネルキャビティー２２１のサイズを最適に調節し、ダイカットインサート２０によりコンテナー７０を最適に維持するためにユーザーが選択的にリングを切断することができることについて言及する価値がある。そのような状況では、関連する連結線を通っての切断を容易にするために、引き裂き線２６１を切断リングに沿って半径方向に提供することができる。さらに、図９の中で示されるように、スリット穴２２４の代わりに、上部および下部パネル２１、２２を強くするために「十字」形の穴とすることができる。
【００３５】
更に、コンテナーが上部パネルキャビティー２１１および下部パネルキャビティー２２１内へ配置される時、残る切断リングは振動を吸収するためのクッションとして役立ち、上部パネルキャビティー２１１および下部パネルキャビティー２２１内で配置されるコンテナーに付加的なクッション効果を提供する。
【００３６】
図１および図３を参照する。ダイカットインサート２０はさらに、折り曲げ可能な態様で、左の上向きのフラップ２１２および右の上向きのフラップ２１３から一体となって外側に伸びる左および右の水平フラップ２７を含む。それらは左の上向きのフラップ２１２および右の上向きのフラップ２１３に対して内側に折られ、互いに向き合い、カートン１０の受容キャビティ１１内に上部クッション３０をその上に支持する。したがって、左および右のフラップ２７は、ダイカットインサート２０と上部クッション３０がカートン１０内のコンテナー７０の支持のために受容キャビティ１１内に分離可能に配置された時に、上部のクッション３０を支持するように適応される。
【００３７】
図１から３を参照する。ダイカットインサート２０の強度をさらに高めるために、ダイカットインサート２０はさらに、前面パネル２３の前にオーバーラップして形成された正面のオーバーラップパネル２８を、ダイカットインサート２０の前面側に二重の壁構造を提供するために含む。
【００３８】
さらに、下部パネル２２は、さらにそれぞれ下部パネル２２の右および左側端の上に形成されたパネル穴２２５中に左および右の内側のトレイロックを有する。
ここで、パネル２２６中の２つの内側のトレイロックは、各々パネル前面２２６１の中に内側のトレイロックを有しており、ダイカットインサート２０の２つ側に形成され、折られてパネル前面２２６１内の内側トレイロックとそれぞれのパネル穴２２５内の内側トレイロックとを結合し、それぞれの内側トラップフラップ２２７をサンドイッチし、内側ダイカットインサート２０の右および左側に３重壁構造を形成する。
【００３９】
言いかえれば、ファイバーボードは折られてダイカットインサート２０を形成する。ダイカットインサート２０の前面パネル２３は二重壁構造を有している。また、２枚のサイドパネル２９、２９１の各々は、ダイカットの強度を高めるために３重壁構造を有している。
【００４０】
ボトル／缶は、通常脆いガラス、柔軟な薄いプラスチックまたは金属缶によって作られる。ボトルはアルコール、油、酸、インキ、ペイント、および他の引火性液体または、可燃性ガスを含んでいることがある。
【００４１】
上記の記述から、上部保護、ガイドおよびフレーミングのための手段はボトルの上部を（水平方向で）保護し、上部パネル２１を含み、底部保護、ガイドおよびフレーミングのための手段は下部パネル２２を含むことが示される。さらに、上部の配置スペーシングおよびガイド手段は上部パネルキャビティー２１１、上部パネルキャビティー２１１上で伸びる結合されたフラップ２５を含み、底部の配置スペーシングおよびガイド手段は下部パネルキャビティー２２１および下部パネルキャビティー２２１上で伸びる結合されたフラップ２５を含む。
【００４２】
さらに、上向きの自立、支持およびフレーミングのための手段は、左の上向きのフラップ２１２および右の上向きのフラップ２１３を含み、下向きの自立、支持およびフレーミングのための手段は、前面の下向きのフラップ２２２および後面の下向きのフラップ２２３を含む。
【００４３】
一方、水平に支持するための手段は、右および左の水平のフラップ２７をそれぞれ含む。上部の側衝撃の平衡を保つための手段は、上部パネルキャビティー２１１を囲んで形成されるスリット穴２１５を含む上部パネル２１を有する。
【００４４】
上部／底部衝撃を吸収するための手段は、カートン１０の中で受容された上部のクッション３０および底部クッション４０を含む。そのため、底部衝撃を吸収するための手段は、液体を保持するための手段の底部と、保護し囲むための手段の底部フラップの間に置かれ、ボトル下部から衝撃を吸収する。
【００４５】
図１０を参照する。本発明の便利な利用を容易にするために、上部／底部衝撃を吸収するための手段は、堅いファイバーボードで作られることにより具体化される。これは主クッション部分５１、およびファイバーボードの２つの横端部分に提供される複数の並んだエッジフリップ５２を有し、それぞれのエッジフリップ５２は隣接するエッジフリップ５２と重なって折られて上部クッション３０または下部クッション４０を形成するように適合する。そこでは、コンテナー７０は、上部および下部クッション３０、４０の間でしっかりと支持される。
【００４６】
従って、上部／底部衝撃を吸収するための手段は、２つのそれぞれのエッジフリップ５２の間に形成された複数の折りリブ５３を含み、エッジフリップ５２の容易な折りまたはトリミングを許容する。さらに、上部／底部衝撃を吸収するための手段は、さらに２つのそれぞれの折りリブ５３の間に形成された複数の裂けるエッジ５５を有する。これによりユーザーは裂けるエッジ５５のみを裂いて、上部および下部クッション３０、４０を適当なサイズにできる。
【００４７】
したがって、上部のクッション３０およびより下部のクッション４０は、上部のクッション３０およびより下部のクッション４０の主クッション部分５１からエッジフリップ５２切り取ることにより形成することができる。
【００４８】
図１１をさらに参照する。上部／底部衝撃を吸収するための手段は、さらにコンテナー７０の頭部分を受容するようなサイズおよび形状の、上部のクッション３０および下部クッション４０に形成された支持穴５４を少なくとも含む。堅いファイバーボードがそれらのエッジフリップ５２内に重ねて折られて上部のクッション３０および下部クッション４０を形成した時にこれはカートン１０内のコンテナーを実質的に支持する。
【００４９】
あるいは、上部のクッション３０および下部のクッション４０は主クッション部分からエッジフリップ５２を切り取ることにより形成されることができ、図１０に示されるようにカートン１０内へ受容するために適当なサイズを達成する。
【００５０】
明らかに、液体を保持するための手段は、脆いガラス、柔軟な薄いプラスチックまたは金属缶によって通常作られるコンテナー７０を含む。液体を保持するための手段はアルコール、油、酸、インキ、ペイント、また他の引火性液体または可燃性ガスを含む場合がある。
【００５１】
前面の強化保持手段は、ダイカットインサート２０の正面の側の二重壁構造を形成する正面のオーバーラップパネル２８を含む。
【００５２】
上部／下部の衝撃バランシング手段は、上部のポジショニング、スペーシングおよびガイド手段、および下部のポジショニング、スペーシング、およびバランシングのための手段を囲む。それは上部／底部クッション保持手段を柔らかくすることができ、ばね効果を獲得する。
【００５３】
上向きの自立、支持およびフレーミングのための手段のリブ部分２６、下向きの自立、支持およびフレーミングのための手段、上部のポジショニング、スペーシングおよびガイド手段、下向きの自立、支持およびフレーミングのための手段、下部のポジショニング、スペーシングおよびバランシング手段、および水平に支持する手段は、接続線の穴あき部分を有さず、それらは折りフラップを支持し、物質の記憶により要求される保持位置に維持し強化する。
【００５４】
言いかえれば、ダイカットインサート２０を形成するファイバーボードに固有の物質の記憶を所有することにより、左の上向きのフラップおよび右の上向きのフラップ２１２、２１３を、カートン１０の受容キャビティー１１内で受容するためにわずかに折る時に、それらは自動的に拡がり、カートン１０のそれぞれの側壁に対して付勢し、カートンと摩擦力で結合し、受容キャビティ１１内のコンテナー７０をしっかりと取り囲む。
【００５５】
さらに、ファイバーボードの所定の量のクッション効果を得るために、ファイバーボードは好ましくは溝構造を有して形成されることは記載する価値があろう。したがって、ファイバーボードが上部のクッション３０および下部クッション４０を形成するために利用される場合、溝構造は、溝構造に起因するクッション効果のためにコンテナー７０に追加のクッション効果を提供するように適合される。
【００５６】
図７Ａ、図７Ｂ、図８Ａおよび図８Ｂを参照する。しっかりと取り付けられた内側のダイカットインサート２０を有するカートン１０はガラスビンまたは缶（コンテナー７０）をパックする。内側のダイカットインサート２０は鋼製のルール抜き型ボードによって特定のパターンに切断される。鋼製の抜き型ボードがマウントされた高速回転機に波状のファイバーボードの平らなシートが通される。内側のダイカットインサート２０はパターンから折られて形成される。ガラスビン／缶（コンテナー７０）は上部パネルキャビティー２１１および下部パネルキャビティー２２１に精密にぴったりと合う。上部および下部パネル２１、２２は、キャビティー２１１、２２１の間の距離を有している。ガラスビン／缶が動かないように、キャビティーはその間にスペースを有している。ボトル／缶を囲む距離は、水平の衝撃を回避するためにクッション境界を形成する。上方へのフラップ２１２、２１３、および下方へのフラップ２２２、２２３は、ダイカットインサート２０をブロックし、上部および底部クッション３０、４０の位置を決め、ボトルの垂直の衝撃を吸収する垂直のクッション境界を形成する。挿入された壁の四角の表面は、ファイバーボードの正方形の表面と連結し、壁の強度を強化するだけでなくインサートが移動することを防止する。
【００５７】
性能試験では、オリーブオイルで満たされた６つのガラスビンが、内側のダイカットインサートの３つのキャビティ内にパックされ、上部および底部クッション３０として１インチ厚のＥＰＳが置かれ、二重壁カートン１０に詰められた。パッケージは、国際的な安全輸送協会業界基準テスト手順（ＩＳＴＡ−ＩＡ）によってテストされた；１０回の自由落下が、必要により異なる方向から同じパッケージについて行われた。試験結果は、全く損傷がないことを示した。
【００５８】
図７Ａ、図７Ｂ、図８Ａおよび図８Ｂを参照する。上部パネル２１および下部パネル２２は、１つ以上のコンテナー７０を詰めるために１つ以上の上部パネルキャビティ２１１および下部パネルキャビティー２２１を有することができる。さらに、任意の特定のコンテナー７０に適合するために、上部パネルキャビティー２１１は下部パネルキャビティー２２１より大きく形成することができる。
【００５９】
当業者は本願の図面および明細書において示された本発明の実施態様は例示であり、本発明を何ら制限するものではないことを理解するだろう。
【００６０】
本発明の目的が完全に効果的に達成されたことは理解されるだろう。実施態様は、本発明の機能的・構造の原理を例証する目的のために示され記載された。またそのような原理からの逸脱のない変更の対象である。したがって、本発明は、請求項に記載された発明の精神および技術的範囲に包含された改良をすべて包含する。
【図面の簡単な説明】
【００６１】
【図１】図１は、本発明の好ましい実施態様によるパッケージ配置の透視図である。
【図２】図２は本発明の上記の好ましい実施態様によってコンテナーを支持するダイカットインサートの透視図である。
【図３】図３は本発明の上記の好ましい実施態様によるダイカットインサートの模式図である。
【図４】図４は本発明の上記の好ましい実施態様のダイカットインサートの透視図である。
【図５】図５は、本発明の上記の好ましい実施態様によるパッケージ配置の模式図である。
【図６】図６は、本発明の上記の好ましい実施態様によるパッケージ配置の側断面図である。
【図７】図７Ａおよび７Ｂは、本発明の上記の好ましい実施態様によるダイカットインサートの模式図である。
【図８】図８Ａおよび８Ｂは、本発明の上記の好ましい実施態様によるダイカットインサートの模式図である。
【図９】図９は、本発明の上記の好ましい実施態様による異なるリブ部分を示す。
【図１０】図１０は、本発明の上記の好ましい実施態様による、上部のクッションおよびより下部クッションの模式図である。
【図１１】図１１は、本発明の上記の好ましい実施態様による、上部のクッションおよびより下部クッションの模式図である。
【図１】
2008524081.tif 000003
【図２】
2008524081.tif 000004
【図３】
2008524081.tif 000005
【図４】
2008524081.tif 000006
【図５】
2008524081.tif 000007
【図６】
2008524081.tif 000008
【図７Ａ】
2008524081.tif 000009
【図７Ｂ】
2008524081.tif 000010
【図８Ａ】
2008524081.tif 000011
【図８Ｂ】
2008524081.tif 000012
【図９】
2008524081.tif 000013
【図１０】
2008524081.tif 000014
【図１１】
2008524081.tif 000015
【国際調査報告】
2008524081.tif 000016